【手続補正書】
【提出日】平成28年1月18日(2016.1.18)
【手続補正１】
【補正対象書類名】特許請求の範囲
【補正対象項目名】全文
【補正方法】変更
【補正の内容】
【特許請求の範囲】
【請求項１】
無線通信のための方法であって、
無線機器の通信を監視することと、
少なくとも１つの無線機の間で、機器内の潜在的な機器内干渉を和らげることに少なくとも部分的に基づいて、前記無線機器上の複数の無線機の中から前記少なくとも１つの無線機を選択することと、
前記少なくとも１つの無線機の性能が許容可能でない場合に複数のアンテナの中から前記少なくとも１つの無線機のために少なくとも１つのアンテナを選択することであって、ここで、前記少なくとも１つのアンテナを選択することは、前記少なくとも１つの無線機の前記性能が許容可能でない場合に前記複数のアンテナ間のアイソレーションを得ることを備え、前記複数のアンテナ間の前記アイソレーションに基づき、前記少なくとも１つのアンテナの１つ又はそれ以上は、前記複数の無線機の中の１つ又はそれ以上の他の無線機のための使用のために共有され利用可能である、選択することと、
前記少なくとも１つのアンテナに前記少なくとも１つの無線機を接続することと、
を備える方法。
【請求項２】
少なくとも１つのアンテナを前記選択することは、前記複数のアンテナへ前記複数の無線機の構成可能なマッピングに基づいて前記複数のアンテナの中から前記少なくとも１つのアンテナを選択することを備える、
請求項１に記載の方法。
【請求項３】
少なくとも１つのアンテナを前記選択することは、前記少なくとも１つの無線機が活動中になる場合又は前記少なくとも１つの無線機の性能において変化が要求される場合、動的に前記少なくとも１つのアンテナを選択することを備える、
請求項１に記載の方法。
【請求項４】
少なくとも１つの無線機を前記選択することは、前記複数の無線機の中から多重無線機を選択することであって、ここで、少なくとも１つのアンテナを前記選択することは、前記複数のアンテナの中から多重アンテナを選択することを備え、前記少なくとも１つのアンテナへ前記少なくとも１つの無線機を前記接続することは、前記多重アンテナへ前記多重無線機を接続することを備える、選択することを備える、
請求項１に記載の方法。
【請求項５】
少なくとも１つの無線機を前記選択することは、前記複数の無線機の中から多重無線機を選択することであって、ここで、少なくとも１つのアンテナを前記選択することは、前記複数のアンテナの中から単一のアンテナを選択することを備え、前記少なくとも１つのアンテナへ前記少なくとも１つの無線機を前記接続することは、前記単一のアンテナへ前記多重無線機を接続することを備える、選択することを備える、
請求項１に記載の方法。
【請求項６】
前記少なくとも１つのアンテナは、第１の時期に、選択され、
前記方法は、
第２の時期に前記複数のアンテナの中から少なくとも１つの他のアンテナを選択することと、
前記少なくとも１つの他のアンテナへ前記少なくとも１つの無線機を接続することと、をさらに備える、
請求項１に記載の方法。
【請求項７】
第１の時期に前記少なくとも１つの無線機のために第１の数のアンテナを選択することであって、ここで、前記第１の数のアンテナは前記少なくとも１つのアンテナを含む、選択することと、
第２の時期に前記少なくとも１つの無線機のために第２の数のアンテナを選択することであって、ここで、前記第２の数のアンテナは前記第１の数のアンテナとは異なる、選択することと、
をさらに備える
請求項１に記載の方法。
【請求項８】
前記複数のアンテナのための測定を得ることと、
前記測定に基づいて前記少なくとも１つのアンテナを選択することと、
をさらに備える、
請求項１に記載の方法。
【請求項９】
測定を前記得ることは、アンテナ間のアイソレーション、受信信号強度（received signal strength indicator）（ＲＳＳＩ）、チャンネル品質指標（channel quality indicator）（ＣＱＩ）、又はそれらの組み合わせのための測定を得ることを備える、請求項８に記載の方法。
【請求項１０】
少なくとも１つの無線機を前記選択することは、前記複数の無線機の優先度、無線機間の干渉、又はそれらの組み合わせに基づいて前記少なくとも１つの無線機を選択することを備える、
請求項１に記載の方法。
【請求項１１】
前記少なくとも１つのアンテナへ前記少なくとも１つの無線機を前記接続することは、前記複数の無線機と前記複数のアンテナとの間に接続される少なくとも１つのスイッチピレクサを通じて前記少なくとも１つのアンテナへ前記少なくとも１つの無線機を接続することを備える、
請求項１に記載の方法。
【請求項１２】
無線機のために利用可能な多重アンテナの１つへ前記複数の無線機の中の前記無線機を接続するために前記少なくとも１つのスイッチピレクサを制御することをさらに備える、請求項１１に記載の方法。
【請求項１３】
アンテナによってサポートされる多重無線機の１つへ前記複数のアンテナの中の前記アンテナを接続するために前記少なくとも１つのスイッチピレクサを制御することをさらに備える、
請求項１１に記載の方法。
【請求項１４】
前記複数のアンテナは、ダイポールアンテナ、モノポールアンテナ又は両者を備える、請求項１に記載の方法。
【請求項１５】
前記少なくとも１つの無線機の中の受信機無線機のため低ノイズアンプ（ＬＮＡ）を選択することであって、ここで、前記ＬＮＡは、前記複数の無線機の中の１つ又はそれ以上の他の受信機無線機によって共有される、選択すること、
をさらに備える、
請求項１に記載の方法。
【請求項１６】
前記少なくとも１つの無線機の中の送信器無線機のためのパワーアンプ（ＰＡ）を選択することであって、ここで、前記ＰＡは、前記複数の無線機の中の１つ又はそれ以上の他の送信器無線機によって共有される、選択すること、
をさらに備える、
請求項１に記載の方法。
【請求項１７】
前記複数のアンテナは、少なくとも１つの無線機の第１セットに専用の少なくとも１つのアンテナの第１セットを含み、多重無線機の第２セットによって共有される少なくとも１つのアンテナの第２セットをさらに含む、
請求項１に記載の方法。
【請求項１８】
前記複数のアンテナは、前記無線機器上の前記複数の無線機のための使用のため利用可能である、
請求項１に記載の方法。
【請求項１９】
無線機の選択及びアンテナの選択は、前記無線機器上で指定されるコントローラによって集中方式において実行される、
請求項１に記載の方法。
【請求項２０】
無線機の選択及びアンテナの選択は、前記無線機器上の複数のコントローラによって非集中方式において実行される、
請求項１に記載の方法。
【請求項２１】
無線機の選択及びアンテナの選択は、指定される時期に同期方式において実行される、請求項１に記載の方法。
【請求項２２】
無線機の選択及びアンテナの選択は、イベントによってトリガーされる場合、非同期方式において実行される、
請求項１に記載の方法。
【請求項２３】
無線機器の通信を監視するための手段と、
少なくとも１つの無線機の間で、機器内の潜在的な機器内干渉を和らげることに少なくとも部分的に基づいて、前記無線機器上の複数の無線機の中から前記少なくとも１つの無線機を選択するための手段と、
前記少なくとも１つの無線機の性能が許容可能でない場合に複数のアンテナの中から前記少なくとも１つの無線機のために少なくとも１つのアンテナを選択するための手段であって、ここで、前記少なくとも１つのアンテナを選択することは、前記少なくとも１つの無線機の前記性能が許容可能でない場合に前記複数のアンテナ間のアイソレーションを得ることを備え、前記複数のアンテナ間の前記アイソレーションに基づき、前記少なくとも１つのアンテナの１つ又はそれ以上は、前記複数の無線機の中の１つ又はそれ以上の他の無線機のための使用のため共有され利用可能である、選択するための手段と、
前記少なくとも１つのアンテナへ前記少なくとも１つの無線機を接続するための手段と、
を備える無線通信装置。
【請求項２４】
少なくとも１つの無線機を選択するための前記手段は、前記複数の無線機の中から多重無線機を選択するための手段であって、少なくとも１つのアンテナを選択するための前記手段は、前記複数のアンテナの中から多重アンテナを選択するための手段を備え、前記少なくとも１つのアンテナへ前記少なくとも１つの無線機を接続するための前記手段は、前記多重アンテナへ前記多重無線機を接続するための手段を備える、選択するための手段を備える、
請求項２３に記載の装置。
【請求項２５】
前記少なくとも１つのアンテナは、第１の時期に、選択され、
前記装置は、
第２に時期に前記複数のアンテナの中から少なくとも１つの他のアンテナを選択するための手段と、
前記少なくとも１つの他のアンテナへ前記少なくとも１つの無線機を接続するための手段と、
をさらに備える、
請求項２３に記載の装置。
【請求項２６】
第１の時期に前記少なくとも１つの無線機のため第１の数のアンテナを選択するための手段であって、ここで、前記第１の数のアンテナは、前記少なくとも１つのアンテナを含む、選択するための手段と、
第２の時期に前記少なくとも１つの無線機のために第２の数のアンテナを選択するための手段であって、ここで、前記第２の数のアンテナは、前記第１の数のアンテナとは異なる、選択するための手段と、
をさらに備える、
請求項２３に記載の装置。
【請求項２７】
前記複数のアンテナのための測定を得るための手段と、
前記測定に基づいて前記少なくとも１つのアンテナを選択するための手段と、をさらに備える、
請求項２３に記載の装置。
【請求項２８】
前記少なくとも１つのアンテナへ前記少なくとも１つの無線機を接続するための前記手段は、前記複数の無線機と前記複数のアンテナとの間に接続される少なくとも１つのスイッチピレクサを通じて前記少なくとも１つのアンテナへ前記少なくとも１つの無線機を接続するための手段を備える、
請求項２３に記載の装置。
【請求項２９】
無線機器の通信を監視するように、
少なくとも１つの無線機の間で、機器内の潜在的な機器内干渉を和らげることに少なくとも部分的に基づいて、前記無線機器上の複数の無線機の中から前記少なくとも１つの無線機を選択するように、
前記少なくとも１つの無線機の性能が許容可能でない場合に複数のアンテナの中から前記少なくとも１つの無線機のために少なくとも１つのアンテナを選択するようにであって、ここで、前記少なくとも１つのアンテナを選択することは、前記少なくとも１つの無線機の前記性能が許容可能でない場合に前記複数のアンテナ間のアイソレーションを得ることを備え、前記複数のアンテナ間の前記アイソレーションに基づき、前記少なくとも１つのアンテナの１つ又はそれ以上は、前記複数の無線機の中の１つ又はそれ以上の他の無線機のための使用のため共有され利用可能である、選択するように、
前記少なくとも１つのアンテナへ前記少なくとも１つの無線機を接続するように、
に構成される、少なくとも１つのプロセッサと、
を備える無線通信装置。
【請求項３０】
前記少なくとも１つのプロセッサは、
前記複数の無線機の中から多重無線機を選択するように、
前記複数のアンテナの中から多重アンテナを選択するように、及び
前記多重アンテナへ前記多重無線機を接続するように、
に構成される、
請求項２９に記載の装置。
【請求項３１】
前記少なくとも１つのプロセッサは、
第１の時期に前記少なくとも１つのアンテナを選択するように、
第２の時期に前記複数のアンテナの中から少なくとも１つの他のアンテナを選択するように、
前記少なくとも１つの他のアンテナへ前記少なくとも１つの無線機を接続するように、に構成される、
請求項２９に記載の装置。
【請求項３２】
前記少なくとも１つのプロセッサは、
第１の時期に前記少なくとも１つの無線機のため第１の数のアンテナを選択するようにであって、ここで、前記第１の数のアンテナは、前記少なくとも１つのアンテナを含む、選択するように、および
第２の時期に前記少なくとも１つの無線機のため第２の数のアンテナを選択するようにであって、ここで、前記第２の数のアンテナは、前記第１の数のアンテナとは異なる、選択するように、
に構成される、
請求項２９に記載の装置。
【請求項３３】
前記少なくとも１つのプロセッサは、
前記複数のアンテナのための測定を得るように、および
前記測定に基づいて前記少なくとも１つのアンテナを選択するように、
に構成される、
請求項２９に記載の装置。
【請求項３４】
前記複数の無線機と前記複数のアンテナとの間に接続され、前記少なくとも１つのアンテナへ前記少なくとも１つの無線機を接続するように構成される少なくとも１つのスイッチピレクサをさらに備える、
請求項２９に記載の装置。
【請求項３５】
少なくとも１つのコンピュータに、無線機器の通信を監視させるためのコードと、
少なくとも１つの無線機の間で、機器内の潜在的な機器内干渉を和らげることに少なくとも部分的に基づいて、前記少なくとも１つのコンピュータに、前記無線機器上の複数の無線機の中から前記少なくとも１つの無線機を選択させるためのコードと、
前記少なくとも１つのコンピュータに、前記少なくとも１つの無線機の性能が許容可能でない場合に複数のアンテナの中から前記少なくとも１つの無線機のために少なくとも１つのアンテナを選択させるためのコードであって、ここで、前記少なくとも１つのアンテナを選択することは、前記少なくとも１つの無線機の前記性能が許容可能でない場合に前記複数のアンテナ間のアイソレーションを得ることを備え、前記複数のアンテナ間の前記アイソレーションに基づき、前記少なくとも１つのアンテナの１つ又はそれ以上は、前記複数の無線機の中の１つ又はそれ以上の他の無線機のための使用のため共有され利用可能である、コードと、
前記少なくとも１つのコンピュータに、前記少なくとも１つのアンテナへ前記少なくとも１つの無線機を接続させるためのコードと、
を備えるコンピュータ可読記憶媒体。